【手続補正書】
【提出日】平成23年6月23日(2011.6.23)
【手続補正１】
【補正対象書類名】特許請求の範囲
【補正対象項目名】全文
【補正方法】変更
【補正の内容】
【特許請求の範囲】
【請求項１】
閉塞部を開くためのシステムであって、
閉塞部を開くためのデバイスであって、該デバイスはシャフトを備え、該シャフトは該シャフトを通る管腔を有する、デバイスと、
駆動シャフト管腔内に受容されたガイドワイヤーであって、該シャフトは、該ガイドワイヤー上で前進可能であり、回転可能である、ガイドワイヤーと、
遠位端と、該ガイドワイヤーの少なくとも一部分を受容する管腔とを有するシースであって、該シースおよび該ガイドワイヤーは、互いに対して軸方向に可動である、シースと
を備えている、システム。
【請求項２】
前記シースは、少なくとも一つの条線セクションを備えている、請求項１に記載のシステム。
【請求項３】
前記少なくとも一つの条線セクションは、連続したらせん状に切断された条線を備えている、請求項２に記載のシステム。
【請求項４】
前記少なくとも一つの条線セクションは、不連続なスロット状に切断された条線を備えている、請求項２に記載のシステム。
【請求項５】
前記少なくとも一つの条線セクションは、連続したらせん状に切断された条線をさらに備えている、請求項４に記載のシステム。
【請求項６】
前記シースの遠位端は、少なくとも一つの条線セクションを備えている、請求項２に記載のシステム。
【請求項７】
前記少なくとも一つの条線セクションは、実質的に前記シースの全体を覆う、請求項２に記載のシステム。
【請求項８】
前記シースは、シースの前記遠位端に動作可能に結合された非外傷性先端をさらに備えている、請求項１に記載のシステム。
【請求項９】
前記非外傷性先端は、先細にされたセクションを備えている、請求項８に記載のシステム。
【請求項１０】
前記非外傷性先端は、前記シースを備えている材料よりも柔軟な材料を備えている、請求項８に記載のシステム。
【請求項１１】
前記非外傷性先端の壁の少なくとも一部分は、前記シースの壁よりも薄い、請求項８に記載のシステム。
【請求項１２】
前記非外傷性先端は、先細にされたセクションを備えている、請求項１１に記載のシステム。
【請求項１３】
前記非外傷性先端は、少なくとも一つの条線セクションを備えている、請求項８に記載のシステム。
【請求項１４】
前記非外傷性先端は、少なくとも一つの条線セクションを備えている、請求項１２に記載のシステム。
【請求項１５】
前記シースは、可塑性材料を備えている、請求項１に記載のシステム。
【請求項１６】
前記可塑性材料は、潤滑性がある、請求項１に記載のシステム。
【請求項１７】
前記可塑性材料は、テフロン（登録商標）、ポリオレフィン、ポリウレタン、潤滑性ＰＴＦＩ、ポリエステル、ポリカーボネート、ポリ塩化ビニル、ラテックス、シリコンゴム、ポリスチレンおよびポリアクリルからなる群から選択される、請求項１５に記載のシステム。
【請求項１８】
前記シースは、ステンレス鋼を含む、請求項１に記載のシステム。
【請求項１９】
前記シースは、前記可塑性材料の上に配置された表面コーティングをさらに備えている、請求項１５に記載のシステム。
【請求項２０】
前記表面コーティングは、親水性である、請求項１９に記載のシステム。
【請求項２１】
前記表面コーティングは、ポリビニルピロリドン、ポリエチレンオキシド、ポリメタクリル酸ヒドロキシエチル（ｐｏｌｙｈｙｒｏｘｙｅｔｈｙｌｍｅｔｈａｃｒｙｌａｔｅ）およびそれらのコポリマーからなる群から選択される、請求項２０に記載のシステム。
【請求項２２】
前記ガイドワイヤーは、０．１ｍｍから１．０ｍｍの範囲内の外径を備えている、請求項１に記載のシステム。
【請求項２３】
前記ガイドワイヤーは、０．１ｍｍから０．５ｍｍの範囲内の外径を備えている、請求項２２に記載のシステム。
【請求項２４】
前記ガイドワイヤーは、０．１ｍｍから０．２ｍｍの範囲内の外径を備えている、請求項２３に記載のシステム。
【請求項２５】
前記シースは、０．３ｍｍから１．４ｍｍの範囲内の外径を備えている、請求項１に記載のシステム。
【請求項２６】
前記シースは、０．３ｍｍから０．９ｍｍの範囲内の外径を備えている、請求項２３に記載のシステム。
【請求項２７】
前記シースは、０．３ｍｍから０．５ｍｍの範囲内の外径を備えている、請求項２４に記載のシステム。
【請求項２８】
前記ガイドワイヤーは、
細長いシャフトであって、該シャフトは、先細にされた遠位セクションを含む、細長いシャフトと、
該先細にされた遠位セクションに固定的に取り付けられたらせん状に巻かれた遠位先端と
をさらに備えている、請求項１に記載のシステム。
【請求項２９】
前記シースは、患者の脈管構造の中で前記ガイドワイヤーに対する円柱支持を提供する、請求項１に記載のシステム。
【請求項３０】
閉塞部を開くための前記デバイスは、アテレクトミーデバイスを備えている、請求項１に記載のシステム。
【請求項３１】
閉塞部を開くための前記デバイスは、血管形成デバイスを備えている、請求項１に記載のシステム。
【請求項３２】
患者の脈管系への導入のためのガイドワイヤーに対する付加的な円柱支持を提供し、脈管構造を横断する装置であって、
遠位端と、該ガイドワイヤーの少なくとも一部分を受容する管腔とを有するシースであって、該シースおよび該ガイドワイヤーは、互いに対して軸方向に可動である、シースを備えている、装置。
【請求項３３】
前記シースは、少なくとも一つの条線セクションを備えている、請求項３２に記載の装置。
【請求項３４】
前記少なくとも一つの条線セクションは、連続したらせん状に切断された条線を備えている、請求項３３に記載の装置。
【請求項３５】
前記少なくとも一つの条線セクションは、不連続なスロット状に切断された条線を備えている、請求項３３に記載の装置。
【請求項３６】
前記少なくとも一つの条線セクションは、連続したらせん状に切断された条線をさらに備えている、請求項３５に記載の装置。
【請求項３７】
前記シースの前記遠位端は、少なくとも一つの条線セクションを備えている、請求項３３に記載の装置。
【請求項３８】
前記少なくとも一つの条線セクションは、実質的に前記シースの全体を覆う、請求項３３に記載の装置。
【請求項３９】
前記シースは、該シースの前記遠位端に動作可能に結合された非外傷性先端をさらに備えている、請求項３２に記載の装置。
【請求項４０】
前記非外傷性先端は、先細にされたセクションをさらに備えている、請求項３９に記載の装置。
【請求項４１】
前記非外傷性先端は、前記シースを備えている材料よりも柔軟な材料を備えている、請求項３９に記載の装置。
【請求項４２】
非外傷性先端の壁の少なくとも一部分は、前記シースの壁よりも薄い、請求項３９に記載の装置。
【請求項４３】
前記非外傷性先端は、先細にされたセクションを備えている、請求項４２に記載の装置。
【請求項４４】
前記非外傷性先端は、少なくとも一つの条線セクションを備えている、請求項３９に記載の装置。
【請求項４５】
前記非外傷性先端は、少なくとも一つの条線セクションを備えている、請求項４０に記載の装置。
【請求項４６】
前記シースは、可塑性材料を備えている、請求項３２に記載の装置。
【請求項４７】
前記可塑性材料は、潤滑性がある、請求項３２に記載の装置。
【請求項４８】
前記可塑性材料は、テフロン（登録商標）、ポリオレフィン、ポリウレタン、潤滑ＰＴＦＩ、ポリエステル、ポリカーボネート、ポリ塩化ビニル、ラテックス、シリコンゴム、ポリスチレンおよびポリアクリルからなる群から選択される、請求項４６に記載の装置。
【請求項４９】
前記シースは、ステンレス鋼を備えている、請求項３２に記載の装置。
【請求項５０】
前記シースは、前記可塑性材料の上に配置された表面コーティングをさらに備えている、請求項４６に記載の装置。
【請求項５１】
前記表面コーティングは、親水性である、請求項５０に記載の装置。
【請求項５２】
前記表面コーティングは、ポリビニルピロリドン、ポリエチレンオキシド、ポリメタクリル酸ヒドロキシエチル（ｐｏｌｙｈｙｒｏｘｙｅｔｈｙｌｍｅｔｈａｃｒｙｌａｔｅ）およびそれらのコポリマーからなる群から選択される、請求項５１に記載の装置。
【請求項５３】
前記シースは、０．３ｍｍから１．４ｍｍの範囲内の外径を備えている、請求項３２に記載の装置。
【請求項５４】
前記シースは、０．３ｍｍから０．９ｍｍの範囲内の外径を備えている、請求項５３に記載の装置。
【請求項５５】
前記シースは、０．３ｍｍから０．５ｍｍの範囲内の外径を備えている、請求項５４に記載の装置。
【請求項５６】
患者の脈管構造の中の閉塞性病変を開く処置の間の効率を高め外傷を低減するシステムであって、
閉塞性病変を開くデバイスと、
イントロデューサーシースを有するガイドワイヤーであって、
該ガイドワイヤーは、該イントロデューサーシースとともに該脈管構造の中に予め位置決めされるように構成され、
ガイドワイヤーおよびイントロデューサーシースは、ガイドワイヤーのらせん状に巻かれた先端を露出するように軸方向に動かされるように構成されている、ガイドワイヤーと、
閉塞性病変を開くデバイスを該ガイドワイヤーおよび該シースに沿って所望の場所まで遠位方向に前進させる手段と、
該閉塞性病変を開く手段と
を含む、システム。
【請求項５７】
前記閉塞性病変を開く高速回転式アテレクトミーデバイスをさらに含む、請求項５６に記載のシステム。
【請求項５８】
前記閉塞性病変を開くバルーンカテーテル血管形成デバイスをさらに含む、請求項５６に記載のシステム。
【請求項５９】
前記イントロデューサーシースに対する少なくとも一つの条線セクションをさらに含む、請求項５６に記載のシステム。
【請求項６０】
前記イントロデューサーシースの遠位端上に非外傷性先端をさらに含む、請求項５６に記載のシステム。
【請求項６１】
予め位置決めする間に前記ガイドワイヤーに対する付加的な円柱支持をさらに含む、請求項６０に記載のシステム。
【手続補正２】
【補正対象書類名】明細書
【補正対象項目名】００１９
【補正方法】変更
【補正の内容】
【００１９】
以下に続く図面および詳細な説明は、本発明のこれらおよび他の実施形態をより具体的に例示する。
例えば、本発明は以下の項目を提供する。
（項目１）
閉塞部を開くためのシステムであって、
閉塞部を開くためのデバイスであって、該デバイスはシャフトを備え、該シャフトは該シャフトを通る管腔を有する、デバイスと、
駆動シャフト管腔内に受容されたガイドワイヤーであって、該シャフトは、該ガイドワイヤー上で前進可能であり、回転可能である、ガイドワイヤーと、
遠位端と、該ガイドワイヤーの少なくとも一部分を受容する管腔とを有するシースであって、該シースおよび該ガイドワイヤーは、互いに対して軸方向に可動である、シースと
を備えている、システム。
（項目２）
上記シースは、少なくとも一つの条線セクションを備えている、項目１に記載のシステム。
（項目３）
上記少なくとも一つの条線セクションは、連続したらせん状に切断された条線を備えている、項目２に記載のシステム。
（項目４）
上記少なくとも一つの条線セクションは、不連続なスロット状に切断された条線を備えている、項目２に記載のシステム。
（項目５）
上記少なくとも一つの条線セクションは、連続したらせん状に切断された条線をさらに備えている、項目４に記載のシステム。
（項目６）
上記シースの遠位端は、少なくとも一つの条線セクションを備えている、項目２に記載のシステム。
（項目７）
上記少なくとも一つの条線セクションは、実質的に上記シースの全体を覆う、項目２に記載のシステム。
（項目８）
上記シースは、シースの上記遠位端に動作可能に結合された非外傷性先端をさらに備えている、項目１に記載のシステム。
（項目９）
上記非外傷性先端は、先細にされたセクションを備えている、項目８に記載のシステム。
（項目１０）
上記非外傷性先端は、上記シースを備えている材料よりも柔軟な材料を備えている、項目８に記載のシステム。
（項目１１）
上記非外傷性先端の壁の少なくとも一部分は、上記シースの壁よりも薄い、項目８に記載のシステム。
（項目１２）
上記非外傷性先端は、先細にされたセクションを備えている、項目１１に記載のシステム。
（項目１３）
上記非外傷性先端は、少なくとも一つの条線セクションを備えている、項目８に記載のシステム。
（項目１４）
上記非外傷性先端は、少なくとも一つの条線セクションを備えている、項目１２に記載のシステム。
（項目１５）
上記シースは、可塑性材料を備えている、項目１に記載のシステム。
（項目１６）
上記可塑性材料は、潤滑性がある、項目１に記載のシステム。
（項目１７）
上記可塑性材料は、テフロン（登録商標）、ポリオレフィン、ポリウレタン、潤滑性ＰＴＦＩ、ポリエステル、ポリカーボネート、ポリ塩化ビニル、ラテックス、シリコンゴム、ポリスチレンおよびポリアクリルからなる群から選択される、項目１５に記載のシステム。
（項目１８）
上記シースは、ステンレス鋼を含む、項目１に記載のシステム。
（項目１９）
上記シースは、上記可塑性材料の上に配置された表面コーティングをさらに備えている、項目１５に記載のシステム。
（項目２０）
上記表面コーティングは、親水性である、項目１９に記載のシステム。
（項目２１）
上記表面コーティングは、ポリビニルピロリドン、ポリエチレンオキシド、ポリメタクリル酸ヒドロキシエチル（ｐｏｌｙｈｙｒｏｘｙｅｔｈｙｌｍｅｔｈａｃｒｙｌａｔｅ）およびそれらのコポリマーからなる群から選択される、項目２０に記載のシステム。
（項目２２）
上記ガイドワイヤーは、０．１ｍｍから１．０ｍｍの範囲内の外径を備えている、項目１に記載のシステム。
（項目２３）
上記ガイドワイヤーは、０．１ｍｍから０．５ｍｍの範囲内の外径を備えている、項目２２に記載のシステム。
（項目２４）
上記ガイドワイヤーは、０．１ｍｍから０．２ｍｍの範囲内の外径を備えている、項目２３に記載のシステム。
（項目２５）
上記シースは、０．３ｍｍから１．４ｍｍの範囲内の外径を備えている、項目１に記載のシステム。
（項目２６）
上記シースは、０．３ｍｍから０．９ｍｍの範囲内の外径を備えている、項目２３に記載のシステム。
（項目２７）
上記シースは、０．３ｍｍから０．５ｍｍの範囲内の外径を備えている、項目２４に記載のシステム。
（項目２８）
上記ガイドワイヤーは、
細長いシャフトであって、該シャフトは、先細にされた遠位セクションを含む、細長いシャフトと、
該先細にされた遠位セクションに固定的に取り付けられたらせん状に巻かれた遠位先端と
をさらに備えている、項目１に記載のシステム。
（項目２９）
上記シースは、患者の脈管構造の中で上記ガイドワイヤーに対する円柱支持を提供する、項目１に記載のシステム。
（項目３０）
閉塞部を開くための上記デバイスは、アテレクトミーデバイスを備えている、項目１に記載のシステム。
（項目３１）
閉塞部を開くための上記デバイスは、血管形成デバイスを備えている、項目１に記載のシステム。
（項目３２）
患者の脈管系への導入のためのガイドワイヤーに対する付加的な円柱支持を提供し、脈管構造を横断する装置であって、
遠位端と、該ガイドワイヤーの少なくとも一部分を受容する管腔とを有するシースであって、該シースおよび該ガイドワイヤーは、互いに対して軸方向に可動である、シースを備えている、装置。
（項目３３）
上記シースは、少なくとも一つの条線セクションを備えている、項目３２に記載の装置。
（項目３４）
上記少なくとも一つの条線セクションは、連続したらせん状に切断された条線を備えている、項目３３に記載の装置。
（項目３５）
上記少なくとも一つの条線セクションは、不連続なスロット状に切断された条線を備えている、項目３３に記載の装置。
（項目３６）
上記少なくとも一つの条線セクションは、連続したらせん状に切断された条線をさらに備えている、項目３５に記載の装置。
（項目３７）
上記シースの上記遠位端は、少なくとも一つの条線セクションを備えている、項目３３に記載の装置。
（項目３８）
上記少なくとも一つの条線セクションは、実質的に上記シースの全体を覆う、項目３３に記載の装置。
（項目３９）
上記シースは、該シースの上記遠位端に動作可能に結合された非外傷性先端をさらに備えている、項目３２に記載の装置。
（項目４０）
上記非外傷性先端は、先細にされたセクションをさらに備えている、項目３９に記載の装置。
（項目４１）
上記非外傷性先端は、上記シースを備えている材料よりも柔軟な材料を備えている、項目３９に記載の装置。
（項目４２）
非外傷性先端の壁の少なくとも一部分は、上記シースの壁よりも薄い、項目３９に記載の装置。
（項目４３）
上記非外傷性先端は、先細にされたセクションを備えている、項目４２に記載の装置。
（項目４４）
上記非外傷性先端は、少なくとも一つの条線セクションを備えている、項目３９に記載の装置。
（項目４５）
上記非外傷性先端は、少なくとも一つの条線セクションを備えている、項目４０に記載の装置。
（項目４６）
上記シースは、可塑性材料を備えている、項目１に記載の装置。
（項目４７）
上記可塑性材料は、潤滑性がある、項目１に記載の装置。
（項目４８）
上記可塑性材料は、テフロン（登録商標）、ポリオレフィン、ポリウレタン、潤滑ＰＴＦＩ、ポリエステル、ポリカーボネート、ポリ塩化ビニル、ラテックス、シリコンゴム、ポリスチレンおよびポリアクリルからなる群から選択される、項目４６に記載の装置。
（項目４９）
上記シースは、ステンレス鋼を備えている、項目３２に記載の装置。
（項目５０）
上記シースは、上記可塑性材料の上に配置された表面コーティングをさらに備えている、項目４６に記載の装置。
（項目５１）
上記表面コーティングは、親水性である、項目５０に記載の装置。
（項目５２）
上記表面コーティングは、ポリビニルピロリドン、ポリエチレンオキシド、ポリメタクリル酸ヒドロキシエチル（ｐｏｌｙｈｙｒｏｘｙｅｔｈｙｌｍｅｔｈａｃｒｙｌａｔｅ）およびそれらのコポリマーからなる群から選択される、項目５１に記載の装置。
（項目５３）
上記シースは、０．３ｍｍから１．４ｍｍの範囲内の外径を備えている、項目３２に記載の装置。
（項目５４）
上記シースは、０．３ｍｍから０．９ｍｍの範囲内の外径を備えている、項目５３に記載の装置。
（項目５５）
上記シースは、０．３ｍｍから０．５ｍｍの範囲内の外径を備えている、項目５４に記載の装置。
（項目５６）
患者の脈管構造の中の閉塞性病変を開く処置の間の効率を高め外傷を低減する方法であって、
閉塞性病変を開くデバイスを提供することと、
イントロデューサーシースを有するガイドワイヤーを提供することと、
該ガイドワイヤーを該イントロデューサーシースとともに該脈管構造の中に予め位置決めすることと、
ガイドワイヤーのらせん状に巻かれた先端を露出するようにガイドワイヤーおよびイントロデューサーシースを軸方向に動かすことと、
閉塞性病変を開くデバイスを該ガイドワイヤーおよび該シースに沿って所望の場所まで遠位方向に前進させることと、
該閉塞性病変を開くことと
を包含する、方法。
（項目５７）
上記閉塞性病変を開く高速回転式アテレクトミーデバイスを提供することさらに包含する、項目５６に記載の方法。
（項目５８）
上記閉塞性病変を開くバルーンカテーテル血管形成デバイスを提供することをさらに包含する、項目５６に記載の方法。
（項目５９）
上記イントロデューサーシースに対して少なくとも一つの条線セクションを提供することをさらに包含する、項目５６に記載の方法。
（項目６０）
上記イントロデューサーシースの遠位端に非外傷性先端を提供することをさらに包含する、項目５６に記載の方法。
（項目６１）
予め位置決めする間に上記ガイドワイヤーに付加的な円柱支持を与えることをさらに包含する、項目６０に記載の方法。